(57)【要約】【課題】撮像装置に固有のパラメータを低コストで管理可能なパラメータ管理システム、撮像装置、及びパラメータ管理装置を提供する。【解決手段】カメラモジュール３０（撮像装置）の電調機３１による調整結果に基づき、ワークステーション３２により各種調整値／設定値のパラメータを製造番号などの識別情報と対応付けてサーバ装置３３に格納する。これにより、カメラモジュール３０を搭載したカメラ内蔵携帯電話３０Ａは、電源投入時に自身の識別情報に基づいてパラメータを管理するサーバ装置３３（パラメータ管理装置）と通信し、パラメータをダウンロードすることができる。【選択図】図５
2012124750.tif 000002
【特許請求の範囲】
【請求項１】
撮像装置の識別情報と該撮像装置に固有のパラメータとを対応付けて管理するパラメータ管理部と、撮像装置と通信し、該撮像装置に固有のパラメータを送信する通信部とを備えるパラメータ管理装置と、
撮像装置の識別情報に基づいてパラメータ管理装置と通信し、撮像装置に固有のパラメータをダウンロードする通信部と、上記ダウンロードしたパラメータを用いて画像を取得する撮像部とを備える撮像装置と
を有するパラメータ管理システム。
【請求項２】
上記撮像装置の通信部は、電源投入時に上記パラメータをダウンロードする請求項１記載のパラメータ管理システム。
【請求項３】
上記パラメータは、前処理調整結果値、ＡＥ処理調整結果値、ＡＷＢ処理調整結果値、色再現処理調整結果値、γ補正調整結果値、スケーラ調整結果値、ＮＲ設定値、色収差調整結果値から選ばれる少なくとも１つである請求項２記載のパラメータ管理システム。
【請求項４】
上記パラメータは、ＡＷＢ処理調整結果値であり、
上記撮像装置は、地球上の現在位置を検出する位置検出部を備え、
上記通信部は、上記現在位置の位置情報に基づいてパラメータ管理装置からＡＷＢ処理調整結果をダウンロードする請求項１記載のパラメータ管理システム。
【請求項５】
上記パラメータは、色収差調整結果値であり、
上記撮像装置は、レンズを検出する検出部を備え、
上記通信部は、上記レンズの識別情報に基づいてパラメータ管理装置から色収差調整結果値をダウンロードする請求項１記載のパラメータ管理システム。
【請求項６】
撮像装置の識別情報に基づいて外部のパラメータ管理装置と通信し、撮像装置に固有のパラメータをダウンロードする通信部と、
上記ダウンロードしたパラメータを用いて画像を取得する撮像部と
を備える撮像装置。
【請求項７】
撮像装置の識別情報と該撮像装置に固有のパラメータとを対応付けて管理するパラメータ管理部と、
撮像装置と通信し、該撮像装置に固有のパラメータを送信する通信部と
を備えるパラメータ管理装置。
【請求項８】
撮像装置の識別情報と該撮像装置に固有のパラメータとを対応付けて管理するパラメータ管理部と、撮像装置と通信し、該撮像装置に固有のパラメータを送信する通信部とを備えるパラメータ管理装置と、
撮像装置の識別情報に基づいてパラメータ管理装置と通信し、撮像装置に固有のパラメータをダウンロードする通信部と、上記ダウンロードしたパラメータを撮像装置に転送する転送部とを備える調整装置と
を有するパラメータ管理システム。
【請求項９】
上記調整装置は、白欠陥の位置情報を示す画像を取得する検査部を備え、
上記通信部は、上記白欠陥の位置情報に基づいてパラメータ管理装置から白欠陥補正データをダウンロードする請求項８記載のパラメータ管理システム。
【発明の詳細な説明】
【技術分野】
【０００１】
本発明は、色温度、色収差などの撮像装置固有のパラメータ管理システム、撮像装置、及びパラメータ管理装置に関する。
【背景技術】
【０００２】
デジタルカメラなどの撮像装置は、複数のユニットの組み合わせから構成されている。特に、レンズユニットとセンサと信号処理回路とを一体化したカメラユニットは、撮像装置の主要部分であり、一体化の際の機械的精度だけでは所望の光学特性が得られず、例えばセンサのばらつきによる色再現が劣化することがある。
【０００３】
この対策として、製造工程での調整結果に基づく調整値／設定値を使って後段の信号処理にて補正するために電気的消去／書き込み可能なメモリ（例えば、ＥＥＰＲＯＭ：Elecrically Erasable and Programmable Read Only Memory）を搭載する。そして、特許文献１に示すように、撮像装置の製造工程において調整／設定を行い、その結果をＥＥＰＲＯＭなどの不揮発性メモリに記憶することにより、高度な画質を確保している。
【先行技術文献】
【特許文献】
【０００４】
【特許文献１】特開２００９−５１０８６８号公報
【発明の概要】
【発明が解決しようとする課題】
【０００５】
しかしながら、従来の撮像装置は、撮像固有の調整値／設定値を信頼性高く保持するために、高価なＥＥＰＲＯＭを用いなければならず、コストが増加していた。
【０００６】
また、例えば、移動体通信装置に内蔵された撮像装置のＥＥＰＲＯＭ内の調整値／設定値を変更する場合、事業者の販売店から移動体通信装置のメーカのサービスステーションを経由して撮像装置メーカに返却しなければならず、非常な時間と流通コストがかかっていた。
【０００７】
本発明は、このような従来の実情に鑑みて提案されたものであり、撮像装置固有のパラメータを低コストで管理可能なパラメータ管理システム、撮像装置、及びパラメータ管理装置を提供することを目的とする。
【課題を解決するための手段】
【０００８】
上述の課題を解決するために、本発明に係るパラメータ管理システムは、撮像装置の識別番号と該撮像装置に固有のパラメータとを対応付けて管理するパラメータ管理部と、撮像装置と通信し、該撮像装置に固有のパラメータを送信する通信部とを備えるパラメータ管理装置と、撮像装置の識別情報に基づいてパラメータ管理装置と通信し、撮像装置に固有のパラメータをダウンロードする通信部と、上記ダウンロードしたパラメータを用いて画像を取得する撮像部とを備える撮像装置とを有することを特徴とする。
【０００９】
また、本発明に係るパラメータ管理システムは、撮像装置の識別情報と該撮像装置に固有のパラメータとを対応付けて管理するパラメータ管理部と、撮像装置と通信し、該撮像装置に固有のパラメータを送信する通信部とを備えるパラメータ管理装置と、撮像装置の識別情報に基づいてパラメータ管理装置と通信し、撮像装置に固有のパラメータをダウンロードする通信部と、上記ダウンロードしたパラメータを撮像装置に転送する転送部とを備える調整装置とを有することを特徴とする。
【００１０】
また、本発明に係る撮像装置は、撮像装置の識別情報に基づいて外部のパラメータ管理装置と通信し、撮像装置に固有のパラメータをダウンロードする通信部と、上記ダウンロードしたパラメータを用いて画像を取得する撮像部とを備えることを特徴とする。
【００１１】
また、本発明に係るパラメータ管理装置は、撮像装置の識別情報と該撮像装置に固有のパラメータとを対応付けて管理するパラメータ管理部と、撮像装置と通信し、該撮像装置に固有のパラメータを送信する通信部とを備えることを特徴とする。
【発明の効果】
【００１２】
本発明によれば、例えば電源投入時に、撮像装置に固有のパラメータをパラメータ管理装置からダウンロードすることにより、従来使用していたＥＥＰＲＯＭが不要となり、低コスト化することができる。また、撮像装置に固有のパラメータ変更する場合、撮像装置メーカに返却する必要がなくなり、時間コストと流通コストを減少させることができる。
【図面の簡単な説明】
【００１３】
【図１】本発明の一実施形態に係る撮像装置の構成例を示すブロック図である。
【図２】ＡＷＢ処理調整結果の一つである色温度を説明するための図である。
【図３】色収差調整を説明するための図である。
【図４】従来におけるパラメータの扱いを示す模式図である。
【図５】本実施の形態におけるパラメータの扱いを示す模式図である。
【図６】本実施の形態におけるネットワークを示すブロック図である。
【図７】本発明の一実施の形態に係るパラメータ管理システムの機能ブロック図である。
【図８】フルデータのダウンロードを説明するための図である。
【図９】部分データのダウンロードを説明するための図である。
【図１０Ａ】サーバ装置Ａの動作を示すフローチャートである。
【図１０Ｂ】サーバ装置Ａの動作を示すフローチャートである。
【発明を実施するための形態】
【００１４】
以下、本発明を適用した具体的な実施の形態について、図面を参照しながら下記順序で詳細に説明する。
１．撮像装置
２．パラメータ
３．パラメータ管理システムの概要
４．パラメータ管理システムの具体例
【００１５】
＜１．撮像装置＞
図１は、本発明の一実施形態に係る撮像装置の構成例を示すブロック図である。この撮像装置１０は、レンズ１１と、カメラ信号処理部１２と、画像信号処理部１３と、レンズ制御部１４と、ＳＤＲＡＭ１５と、ＳＲＡＭ１６と、通信部１７と、ＧＰＳ（Global Posiioning Sysem：全地球測位システム）１８とを備える。
【００１６】
図１において、被写体から入射した像光は、レンズ１１を含む光学系によってカメラ信号処理部１２における固体撮像素子、例えばＣＣＤ（Charge Coupled Device）イメージセンサなどの撮像面（Pixel Array）１２１上に結像される。なお、固体撮像素子としては、ＣＣＤイメージセンサに限られるものではなく、他の電荷転送型固体撮像素子や、ＣＭＯＳ（Complemenary Meal Oxide Semiconducor Image Sensor）イメージセンサに代表されるＸ−Ｙアドレス型固体撮像素子であっても良い。
【００１７】
固体撮像素子から出力される撮像信号は、ＡＧＣ（Auomaic Gain Conrol）部１２２において自動利得制御処理や、アナログフロントエンド（ＡＦＥ）部１２３においてＣＤＳ（Correlaed Double Sampling：相関二重サンプリング）などの処理が施された後、画像信号処理部１３に供給される。
【００１８】
画像信号処理部１３は、信号処理部１３１、ＣＰＵ（Cenral Processing Uni）１３２、Ｊｐｅｇエンコーダ１３３、Ｉ／Ｆ回路１３４などによって構成され、カメラ信号処理部１２から供給される撮像信号（画像信号）に対して各種の信号処理を行う。
【００１９】
信号処理部１３１は、画像信号を増幅及び濾波する前処理部と、露出を自動で決定するＡＥ（Auo Exposure）処理部と、光の状況を自動的に判断し、適正な色状態を再現するオートホワイトバランス（ＡＷＢ）処理部と、隣接する画素及び周囲の画素から色情報を取り込んで補間する色再現処理部と、より自然に近い表示を得るためのγ補正部と、画素変換、アスペクト比、垂直周波数を最適な画像になるように設定するスケーラ部と、ノイズ低減（ＮＲ）処理部と、レンズ１１で生じた色収差を補正する色収差補正部とを有する。
【００２０】
ＣＰＵ１３２は、信号処理部１３１における前処理調整結果値、ＡＥ処理調整結果値、ＡＷＢ処理調整結果値、色再現処理調整結果値、γ補正調整結果値、スケーラ調整結果値、ＮＲ設定値、色収差調整結果値、各種ユーザ設定値などを設定する制御を行う。
【００２１】
具体的には、上述の調整値／設定値などの撮像装置１０に固有のパラメータを、電源投入時又は定期的に通信部１７を介して外部からダウンロードし、揮発性メモリであるＳＲＡＭ１６上へ展開することにより、信号処理部１３１を制御する。
【００２２】
また、ＣＰＵ１３２は、自動露光制御において、被写体像の明るさ情報（輝度情報）に応じて、カメラ信号処理部１２におけるＡＧＣ制御量、シャッター速度を決めるシャッター制御量、絞りの開口径の制御量などを設定する制御を行う。
【００２３】
さらに、ＣＰＵ１３２は、タイミングジェネレータ（Ｇ）１２４を介して、カメラ信号処理部１２内で用いる同期信号（垂直同期信号ＶＤおよび水平同期信号ＨＤ）、ＣＣＤイメージセンサを駆動するための種々のタイミング信号を生成する。
【００２４】
レンズ制御部１４は、ズーム・フォーカス・アイリス制御を行う。また、オプションレンズなどの装着を検出し、オプションレンズの固有識別番号をＣＰＵ１３２に通知する。
【００２５】
ＳＤＲＡＭ１５は、ダウンロードされた撮像装置１０に固有のパラメータを格納する。ＳＤＲＡＭ１５は、ＥＥＰＲＯＭに比べ安価であるため、撮像装置１０の低コスト化を図ることができる。
【００２６】
ＳＲＡＭ１６は、ＣＰＵ１３２が制御を行う際に用いる各種のデータ、例えば所定の撮像モードの処理を実行する際に、その処理に必要な各種のパラメータがＳＤＲＡＭ１５から読み出され、一時的に格納される。
【００２７】
通信部１７は、撮像装置１０の識別情報に基づいて外部のパラメータ管理装置と通信し、撮像装置１０に固有のパラメータをダウンロードする。パラメータのダウンロードは、フルデータ又は必要な部分の部分データを受信して行われ、パラメータは、ＳＲＡＭ１６上に展開され、また、必要に応じてＳＤＲＡＭ１５に格納される。
【００２８】
ＧＰＳ１８は、地球上の現在位置を検出し、位置情報をＣＰＵ１３２に通知する。位置情報は、後述のように撮像装置１０に固有のパラメータを変更する際に用いられる。
【００２９】
このような構成からなる撮像装置１０は、例えば電源投入時に固有のパラメータを外部のパラメータ管理装置からダウンロードすることにより、従来使用していたＥＥＰＲＯＭが不要となり、低コスト化を実現することができる。
【００３０】
＜２．パラメータ＞
次に、撮像装置１０に固有のパラメータについて説明する。撮像装置１０に固有のパラメータは、上述したように、前処理調整結果値、ＡＥ処理調整結果値、ＡＷＢ処理調整結果値、色再現処理調整結果値、γ補正調整結果値、スケーラ調整結果値、ＮＲ設定値、色収差調整結果値、各種ユーザ設定値などの調整値／設定値である。以下、具体例として、ＡＷＢ処理調整結果値及び色収差調整結果値について説明する。
【００３１】
図２は、ＡＷＢ処理調整結果の一つである色温度を説明するための図である。撮像装置は、ＡＷＢアルゴリズムの中に屋外／屋内判定を行い、色温度に関してＡＷＢの処理を切り替える方法がよく用いられ、屋外については５６００Ｋ程度の色温度を基準にしてＡＷＢ処理を行っている。しかしながら、図２（Ａ）に示すように、太陽光の色温度は、大気圏への太陽の入射角度により変化するため、赤道直下に比べて、高緯度ではより色温度が高くなる。このため、５６００Ｋ程度の色温度を調整値として格納している場合、高緯度の地域では、太陽光の色温度が高くなり、画質が青っぽくなる不具合が発生する。
【００３２】
この不具合を解決するために、本実施の形態では、ＧＰＳ１８による緯度に関する位置情報を通信部１７により外部のパラメータ管理装置に通知し、パラメータ管理装置から緯度に合った色温度設定値をダウンロードすることにより、画質の改善を図る。具体的には、パラメータ管理装置は、例えば、図２（Ｂ）に示すような色温度テーブルと、撮像装置１０から通知された位置情報とに基づいて色温度設定値を決定し、撮像装置１０にダウンロードさせることにより、工場出荷時の調整値から撮像装置１０の最適値に変更する。
【００３３】
なお、パラメータ管理装置における色温度の最適値の演算としては、屋外の色温度とそれ以外（低色温度又は高色温度）の色温度の調整値の２点から直線近似にて求める方法など、撮像装置１０に内蔵するＡＷＢ機能に合わせて演算機能を実装してもよい。また、近年、３Ｇ携帯電話が導入され、ほとんどの移動体通信装置にはＧＰＳ装置がついているため、これを活用することによりホワイトバランスの性能向上を図ることができる。
【００３４】
また、図３は、色収差調整を説明するための図である。図３（Ａ）に示すように、広角レンズのようなワイドコンバータは、倍率色収差が生じ易く、標準レンズに比べて周辺に行くほど色収差が生じる。このため、図３（Ｂ）に示すように、ワイドコンバータの色収差補正値は、レンズ中心の領域Ａ、Ｂを低い値に設定し、レンズ周辺の領域Ｄ、Ｅを高い値に設定する。一方、望遠レンズのようなテレコンバータは、軸上色収差が生じ易いため、絞りを絞って抑制する。
【００３５】
本実施の形態では、ワイドコンバータ、テレコンバータなど、撮像装置１０に装着されたオプションレンズの固有識別番号をパラメータ管理装置に通知することにより、変更が必要な内容をパラメータ管理装置にて判断する。そして、撮像装置１０が必要な機能の調整値／設定値をダウンロードし、変更することにより、より高度な画質を確保することができる。また、撮像装置１０とオプションレンズとの開発を非同期化することができる。
【００３６】
＜３．パラメータ管理システムの概要＞
次に、撮像装置１０に固有のパラメータをダウンロードするパラメータ管理システムの概要について説明する。図４は、従来におけるパラメータの扱いを示す模式図であり、図５は、本実施の形態におけるパラメータの扱いを示す模式図である。
【００３７】
図４に示すように、従来、製造工程で発生するばらつきを吸収し、画質を確保するために、電調機２１による調整結果に基づき、ワークステーション２２により各種調整値／設定値のパラメータをカメラモジュール２０（撮像装置）のＥＥＰＲＯＭなどの不揮発性メモリに書き込んでいる。
【００３８】
一方、図５に示すように、本実施の形態では、カメラモジュール３０（撮像装置）の電調機３１による調整結果に基づき、ワークステーション３２により各種調整値／設定値のパラメータを製造番号などの識別情報と対応付けてサーバ装置３３に格納する。そして、カメラモジュール３０を搭載したカメラ内蔵携帯電話３０Ａは、自身の識別情報に基づいてパラメータを管理するサーバ装置３３（パラメータ管理装置）と通信し、パラメータをダウンロードする。具体的には、電源投入時にカメラ内蔵携帯電話３０Ａが、無線基地局３４、無線制御局３５及びＰａｃｋｅｔ交換機３６を介してインターネットに接続し、サーバ装置３３に接続し、識別情報により認証することにより、各種調整値／設定値のパラメータをダウンロードする。
【００３９】
このように電源投入時に撮像装置が固有のパラメータをサーバ装置３３からダウンロードすることにより、従来使用していたＥＥＰＲＯＭが不要となり、低コスト化を実現することができる。また、従来のように撮像装置メーカに返却しなくても、パラメータを変更することができ、時間コストと流通コストを減少させることができる。
【００４０】
ここで、パラメータとカメラ内蔵携帯電話３０Ａとのリンク付けについて説明する。カメラモジュール３０の製造情報（パラメータ）は、レンズに関するもの、センサに関するもの、及びユーザに関するものの３つに大きく分けられる。これらの製造情報は、最終的にはカメラモジュール３０に固有の識別情報として、レーザマーキングによるＱＲコード（登録商標）、シリアルナンバーなどを用いてリンクすることができる。
【００４１】
例えば、レンズに関する製造情報について、レンズＡＳＳＹ状態でＱＲコードを付加し、サーバ装置３３にレンズの識別情報と、レンズの調整値／設定値情報とを対応付けて格納する。また、レンズとセンサと基板との組み立てが完了した場合、サーバ装置３３は、レンズの識別情報とカメラモジュール３０の識別情報とを紐付けて管理を行う。この仕組みによりレンズの製造情報とカメラモジュール３０の製造情報とをリンクさせることができる。
【００４２】
カメラ内蔵携帯電話３０Ａは、ＱＲコードを読み取ることで、カメラモジュール３０の識別情報を取得し、この識別情報をサーバ装置３３に通知することにより、レンズを含むカメラモジュール３０の調整値／設定値のパラメータをダウンロードすることができる。
【００４３】
＜４．パラメータ管理システムの具体例＞
次に、撮像装置１０に固有のパラメータをダウンロードするパラメータ管理システムの具体例について説明する。
【００４４】
図６は、本実施の形態におけるネットワークを示す図である。このネットワークには、撮像装置が内蔵された移動体通信装置４１と、撮像装置に固有のパラメータを管理するサーバ装置Ａ４２と、撮像装置を検査するサーバ装置Ｂ４３と、撮像装置の検査に対して決済／課金を行う決済／課金サーバ装置４４とが接続されている。
【００４５】
移動体通信装置４１は、図５に示すカメラ内蔵携帯電話機３１Ａに相当し、ＭＰＵ（Micro Processing Unit）４１１と、メモリ４１２と、表示部４１３と、ＮＩＣ４１４と、入力部４１５と、撮像装置４１６とを備える。ここで、ＮＩＣ４１４には、移動体通信装置４１の端末−基地局−パケット交換機に関する具体的な構成が包含される。また、撮像装置４１６は、図５に示すカメラモジュール３０に相当する。
【００４６】
サーバ装置Ａ４２は、図５に示すサーバ装置３３に相当し、ＭＰＵ４２１と、メモリ４２２と、ＮＩＣ４２３と、データベース４３４とを備える。データベース４３４には、レンズの識別情報とカメラモジュール３０の識別情報とが紐付けて格納されている。
【００４７】
サーバ装置Ｂ４３は、ＭＰＵ４３１と、メモリ４３２と、ＮＩＣ４３３と、データベース４３４とを備え、後述するように移動体通信装置４１の簡易的な検査装置を構成する。
【００４８】
決済／課金サーバ装置４４は、ＭＰＵ４４１と、メモリ４４２と、ＮＩＣ４４３と、データベース４４４とを備え、サーバ装置Ｂ４３における検査に応じて決済／課金を行う。
【００４９】
また、図７は、本発明の一実施の形態に係るパラメータ管理システムの機能ブロック図である。この図７に示す移動体通信装置５１と、サーバ装置Ａ５２と、サーバ装置Ｂ５３と、決済／課金サーバ装置５４とは、それぞれ図６に示す移動体通信装置４１と、サーバ装置Ａ４２と、サーバ装置Ｂ４３と、決済／課金サーバ装置４４とに相当する。
【００５０】
移動体通信装置５１は、通信制御部５１１と、カメラモジュール５１２と、表示部５１３と、決済部５１４と、オプション装着認識部５１５とを備える。通信制御部５１１は、カメラモジュール５１２の調整値／設定値をダウンロードする機能を有する。決済部５１４は、いわゆる電子マネーとして機能し、決済／課金サーバ装置５４とやり取りを行う。オプション装着認識部５１４は、図１に示すレンズ制御部１４に相当し、レンズの装着に応じてサーバ装置Ａ５２に通知を行う。
【００５１】
サーバ装置Ａ５２は、通信制御部５２１と、受信部５２２と、データベース部５２３と、ハードディスクドライブ（ＨＤＤ）５２４と、演算処理部５２５と、データ作成部５２６と、ファイル送信部５２７とを備える。
【００５２】
通信制御５２１は、パケットにて送信されてきた、移動体通信装置５１の識別情報及び移動体通信装置５１が付加した位置情報などを受信し、受信部５２２にて認証作業を行う。演算処理部５２５は、移動体通信装置５１の識別情報に基づいてデータベース部５２３を参照し、移動体通信装置５１がフルデータのダウンロードが必要なのか、部分データのダウンロードか必要なのかを判断する。また、演算処理部５２５は、移動体通信装置５１が付加した位置情報などにより、部分データの演算処理を実行し、複数の部分データが必要な場合は順次処理を行う。
【００５３】
演算処理後、データ作成部５２６は、データをマージしてデータを作成する。そして、データベース部５２３は、作成したデータと移動体通信装置の識別情報、位置情報などをリンクした形でデータベース化し、ＨＤＤ５２４などの主記憶装置に記憶させる。その後、ファイル送信部５２７は、作成したデータを送信可能なデータに生成し、通信制御部５２１を介して送信する。
【００５４】
サーバ装置Ｂ５３は、通信制御部５３１と、受信部５３２と、データベース部５３３と、ハードディスクドライブ（ＨＤＤ）５３４と、演算処理部と、簡易調整／検査機５３５と、ファイル送信部５３６とを備える。
【００５５】
デジタルスチルカメラなどに使用されるセンサは、一般に出荷検査後の宇宙線の被爆などにより、画素が損傷し、暗い画像に白い輝点が発生することがある。また、カメラモジュール５１２には、この不具合を補正する機能が内蔵されている。
【００５６】
本実施の形態では、簡易調整／検査機５３５は、真っ暗な状態で撮像可能な暗箱機能を有し、主にエンドユーザの使用中（出荷検査以降）について、白欠陥の位置情報を示す画像を取得し、通信制御部５３１を介してサーバ装置Ａ５２に送信する機能を有する。また、通信制御部５３１は、カメラモジュール５１の識別情報に基づいてサーバ装置Ａ５２と通信し、カメラモジュール５１に固有のパラメータをダウンロードし、簡易調整／検査機５３５は、ダウンロードしたパラメータをカメラモジュール５１に転送する機能を有する。
【００５７】
サーバ装置Ａ５２は、申告された不具合に基づき送付された画像を解析し、設定値／調整値に変更が必要か判断して、必要な場合は設定値／調整値を変更し、その白欠陥補正データをサーバ装置Ｂ５３に送付する。このとき、サーバ装置Ａ５２は、全データダウンロードか、部分ダウンロードかを判断してサーバ装置Ｂ５３に通知する。サーバ装置Ｂ５３は、ダウンロードデータを自身のＨＤＤ５３４に保存し、簡易調整／検査機５３５と連携して移動体通信装置５１に設定値／調整値のパラメータを転送する。なお、移動体通信装置５１からカメラモジュール５１２へのダウンロードの詳細については後述する。
【００５８】
この簡易調整／検査機５３５を備えるサーバ装置Ｂ５３を、通信事業者の販売店などに配置すれば、暗箱内にて画像を取得してサーバ装置Ａ５２に送付すれば、工場出荷時に補正をかけた白欠陥の位置情報と比較して、新しいアドレスがあれば、調整値として更新することができる。また、サーバ装置Ｂ５３のダウンロード機能を使って、販売店にて短時間で移動体通信装置５１のカメラモジュール５１２を修正してエンドユーザに返却することもできる。
【００５９】
また、サーバ装置Ｂ５３は、決済／課金サーバ装置５４とやり取りすることで、有料サービスを可能とすることができる。具体的には、決済／課金サーバ装置５４の決済サーバ５４２が、移動体通信装置５１の決済部５１４と通信することにより、移動体通信装置５１のユーザにサービスを提供することができる。
【００６０】
次に、図８及び図９を用いて、移動体通信装置５１及びサーバ装置Ａ５２の動作について説明する。図８に示すように、移動体通信装置５１は、カメラモジュール５１２に初めて電源が投入された場合（以下、初期電源投入という。）、工場出荷時の調整値／設定値のフルデータをダウンロードする機能と、図９に示すように移動体通信装置５１により付加された位置情報などにより必要な調整値／設定値のデータをオリジナルデータからの差分情報を生成することにより、部分的にダウンロードする機能とを有する。なお、図８及び図９において、同一処理を行うステップには、同一符号を付して説明を省略する。
【００６１】
ステップＳ１１において、移動通信装置５１に実装されたカメラモジュール５１２に電源を入れる。カメラモジュール５１２は、設定値／調整値のダウンロードの要求を行い、通信制御部５１１は、サーバ装置Ａ５２に接続する。そして、認証要求（ステップＳ１４）、製造番号、ＩＤ情報、電話番号等の移動体通信装置情報を送信し（ステップＳ１４）、パスワード要求（ステップＳ１４）に対してパスワードを送信する（ステップＳ１７）ことにより、認証を完了する（ステップＳ１８）。このように、ユーザ本人であることを確認するため事業者にて管理しているパスワードを使うことにより、秘匿性を高めることができる。また、事業者にて管理しているパスワードを使うことにより、移動体通信装置５１を紛失した際、調整値／設定値の情報を外部に読み出すこともできる。
【００６２】
ステップＳ１９において、移動通信装置５１は、カメラモジュール５１２に、カメラモジュール５１２の識別情報をカメラモジュール５１２に通知するとともに、ステップＳ２０において、カメラモジュール５１２の識別情報をサーバ装置Ａ５２に通知する。
【００６３】
ステップＳ２１において、移動通信装置５１は、サーバ装置Ａ５２から、識別情報確認通知を受信し、ステップＳ２２において、カメラモジュール５１２に固有の設定値／調整値のパラメータ（製造情報）のダウンロードの要求を行う。
【００６４】
サーバ装置Ａ５２の演算処理部５２５は、識別情報に基づいてデータベース部５２３を参照し、移動体通信装置５１がフルデータのダウンロードが必要なのか、部分データのダウンロードか必要なのかを判断する。具体的には、初期電源投入時はフルデータのダウンロードが必要であると判断し、それ以外を部分データのダウンロードが必要であると判断する。
【００６５】
フルデータのダウンロードが必要であると判断した場合、サーバ装置Ａ５２は、図８に示すステップＳ２３において、パラメータのフルダウンロードの開始を移動体通信装置５１に通知する。また、ステップＳ２４において、移動体通信装置５１は、カメラモジュール５１２にフルデータのダウンロードであることを通知する。
【００６６】
ステップＳ２５において、移動体通信装置５１は、受信したパケットを分解してカメラモジュール５１２に必要なパラメータに組み立て直す。そして、ステップＳ２６において、移動体通信装置５１は、パラメータのダウンロード完了を通知するとともに、カメラモジュール５１２のパラメータのダウンロードが開始する（ステップＳ２７）。
【００６７】
ステップＳ２８において、カメラモジュール５１２は、ダウンロードしたパラメータをＲＡＭ上に展開し、データのダウンロード完了を示す「End of file」を受信したら、識別情報とパラメータ内の機器情報とを照合し、チェックサムなどにより通信エラーによるデータの損傷が無いことを確認する。
【００６８】
ステップＳ２９において、カメラモジュール５１２は、確認が終了したら、パラメータのダウンロード終了を移動体通信装置５１に通知する。ステップＳ３０において、移動体通信装置５１は、ステップＳ２５において組み立て直したパラメータをメモリに保存する。
【００６９】
一方、部分データのダウンロードが必要であると判断した場合、サーバ装置Ａ５２は、図９に示すステップＳ３３において、パラメータの部分ダウンロードの開始を移動体通信装置５１に通知する。また、ステップＳ３４において、移動体通信装置５１は、カメラモジュール５１２に部分データのダウンロードであることを通知する。
【００７０】
ステップＳ３５において、移動体通信装置５１は、受信したパケットを分解してカメラモジュール５１２に必要なパラメータに組み立て直す。そして、ステップＳ３６において、移動体通信装置５１は、パラメータのダウンロード完了を通知するとともに、カメラモジュール５１２のパラメータのダウンロードが開始する（ステップＳ３７）。
【００７１】
ステップＳ３８において、カメラモジュール５１２は、ダウンロードしたパラメータをＲＡＭ上に展開する際、必要な部分のみを更新する。そして、End of fileを受信したら、識別情報とパラメータ内の機器情報とを照合し、チェックサムなどにより通信エラーによるデータの損傷が無いことを確認する。
【００７２】
ステップＳ３９において、カメラモジュール５１２は、確認が終了したら、パラメータのダウンロード終了を移動体通信装置５１に通知する。ステップＳ４０において、移動体通信装置５１は、ステップＳ３５において組み立て直したパラメータをメモリに保存する。
【００７３】
このようにダウンロードにより展開したＲＡＭ上のデータに従いハードウェア／ソフトウェアの設定を行い、カメラを起動することにより、ＥＥＰＲＯＭの搭載を不要にすることができる。
【００７４】
なお、上述した例では、ダウンロードしたパラメータを移動体通信装置５１のメモリに保存することとしたが、これに限られるものではなく、メモリに記憶せずにカメラを起動する度に毎回ダウンロードするようにしてもよい。
【００７５】
続いて、図１０に示すフローチャートを参照して、サーバ装置Ａ５２の動作について説明する。サーバ装置Ａ５２は、カメラモジュール５１２の識別情報を受信すると（ステップＳ４１）、ＨＤＤ５２４に格納された識別情報を検索し、パラメータの変更に対応するカメラか否かを判別する（ステップＳ４２）。ステップＳ４２において、対応カメラであると判別された場合、ステップＳ４３に進む。
【００７６】
一方、対応カメラではないと判別された場合、ステップＳ４４に進み、ＮＡＣＫを返し（ステップＳ４４）、通信を切断し（ステップＳ４５）、サーバ装置Ａ５２の動作を終了する。
【００７７】
ステップＳ４３において、サーバ装置Ａ５２は、カメラモジュール５１２に初めて電源が投入（以下、初期電源投入という。）されたか否かを判別する。ステップＳ４３において、初期電源投入ではない場合、ステップＳ４６に進む。
【００７８】
一方、ステップＳ４３において、移動体通信装置５１が初期電源投入の場合、ステップＳ４７に進み、オリジナルのパラメータのフルデータを移動体通信装置５１に送信し（ステップＳ４７）、送信終了後、通信を切断し（ステップＳ４８）、サーバ装置Ａ５２の動作を終了する。
【００７９】
ステップＳ４６において、サーバ装置Ａ５２は、移動体通信装置５１から位置情報を取得したか否かを判別する。ステップＳ４６において、位置情報を取得していない場合、ステップＳ４９に進む。
【００８０】
一方、ステップＳ４６において、位置情報を取得した場合、ステップＳ５０に進み、工場出荷時の設定データからの変更が必要か否かを判別する。この判別は、例えば、図２（Ａ）に示すグラフからの距離が大きさに応じて行うことができる。
【００８１】
ステップＳ５０において、工場出荷時の設定データからの変更が必要であると判別した場合、サーバ装置Ａ５２のデータ作成部５２６は、変更が必要な部分のデータ１を作成し（ステップＳ５１）、フラグ１を立て（ステップＳ５２）、ステップＳ４９に進む。
【００８２】
一方、ステップＳ５０において、工場出荷時の設定データからの変更が必要ないと判別した場合、ステップＳ５３に進む。ステップＳ５３において、サーバ装置Ａ５２は、移動体通信装置５１にデータ更新が不要であることを通知し、通信を切断する（ステップＳ５４）。
【００８３】
ステップＳ４９において、サーバ装置Ａ５２は、オプションレンズの装着を検出する。装着の検出は、例えば、図１に示すレンズ制御部による検知、レンズに付されたＱＲコードによる検知などを用いることができる。ステップＳ４９において、オプションレンズが装着されている場合、ステップＳ５５に進み、オプションレンズが装着されていない場合、ステップＳ５６に進む。
【００８４】
ステップＳ５６において、サーバ装置Ａ５２は、ステップＳ５２で立てたフラグが存在するかを判別する。フラグが存在する場合、工場出荷時の設定データからの変更が必要な部分のデータ１をデータベースに保存し、履歴を記録する（ステップＳ５７）。そして、データ１を移動体通信装置５１に送信し（ステップＳ５８）、送信終了後、通信を切断し（ステップＳ５９）、サーバ装置Ａ５２の動作を終了する。
【００８５】
一方、ステップＳ５６において、フラグが存在しない場合、データ更新が不要であることを移動体通信装置５１に通知し（ステップＳ６０）、通信を切断し（ステップＳ６１）、サーバ装置Ａ５２の動作を終了する。
【００８６】
ステップＳ５５において、サーバ装置Ａ５２は、オプションレンズがＡタイプか否かを判別する。ここで、オプションレンズがＡタイプの場合ステップＳ６２に進み、それ以外の場合ステップＳ６３に進む。
【００８７】
ステップＳ６２において、サーバ装置Ａ５２のデータ作成部５２６は、オプションレンズに必要なデータ２Ａを演算により作成する。次のステップＳ６４において、サーバ装置Ａ５２は、ステップＳ５２で立てたフラグが存在するかを判別する。フラグが存在する場合、データ作成部５２６は、工場出荷時の設定データからの変更が必要な部分のデータ１とデータ２Ａとをマージしたデータを作成し、これをデータベースに保存し、履歴を記録する（ステップＳ６６）。そして、マージしたデータを移動体通信装置５１に送信し（ステップＳ６７）、送信終了後、通信を切断し（ステップＳ６８）、サーバ装置Ａ５２の動作を終了する。
【００８８】
一方、ステップＳ６４において、フラグが存在しない場合、データ２Ａをデータベースに保存し、履歴を記録する（ステップＳ６９）。そして、データ２Ａを移動体通信装置５１に送信し（ステップＳ７０）、送信終了後、通信を切断し（ステップＳ７１）、サーバ装置Ａ５２の動作を終了する。
【００８９】
また、ステップＳ６３において、サーバ装置Ａ５２は、オプションレンズがＢタイプか否かを判別する。ここで、オプションレンズがＢタイプの場合ステップＳ７２に進み、それ以外の場合ステップＳ７３に進む。
【００９０】
ステップＳ７２において、サーバ装置Ａ５２のデータ作成部５２６は、オプションレンズに必要なデータ２Ｂを演算により作成する。次のステップＳ７４において、サーバ装置Ａ５２は、ステップＳ５２で立てたフラグが存在するかを判別する。フラグが存在する場合、データ作成部５２６は、工場出荷時の設定データからの変更が必要な部分のデータ１とデータ２Ｂとをマージしたデータを作成し、これをデータベースに保存し、履歴を記録する（ステップＳ７６）。そして、マージしたデータを移動体通信装置５１に送信し（ステップＳ７７）、送信終了後、通信を切断し（ステップＳ７８）、サーバ装置Ａ５２の動作を終了する。
【００９１】
一方、ステップＳ７４において、フラグが存在しない場合、データ２Ｂをデータベースに保存し、履歴を記録する（ステップＳ７９）。そして、データ２Ｂを移動体通信装置５１に送信し（ステップＳ８０）、送信終了後、通信を切断し（ステップＳ８１）、サーバ装置Ａ５２の動作を終了する。
【００９２】
また、ステップＳ７３において、サーバ装置Ａ５２は、オプションレンズがＮタイプか否かを判別し、オプションレンズがＮタイプの場合ステップＳ８２に進む。
【００９３】
ステップＳ８２において、サーバ装置Ａ５２のデータ作成部５２６は、オプションレンズに必要なデータ２Ｎを演算により作成する。次のステップＳ８３において、サーバ装置Ａ５２は、ステップＳ５２で立てたフラグが存在するかを判別する。フラグが存在する場合、データ作成部５２６は、工場出荷時の設定データからの変更が必要な部分のデータ１とデータ２Ｎとをマージしたデータを作成し、これをデータベースに保存し、履歴を記録する（ステップＳ８５）。そして、マージしたデータを移動体通信装置５１に送信し（ステップＳ８６）、送信終了後、通信を切断し（ステップＳ８７）、サーバ装置Ａ５２の動作を終了する。
【００９４】
一方、ステップＳ８３において、フラグが存在しない場合、データ２Ｎをデータベースに保存し、履歴を記録する（ステップＳ８８）。そして、データ２Ｎを移動体通信装置５１に送信し（ステップＳ８９）、送信終了後、通信を切断し（ステップＳ９０）、サーバ装置Ａ５２の動作を終了する。
【００９５】
以上のように、カメラモジュールの画質を確保するために必要な調整値／設定値のパラメータをサーバ装置経由でダウンロードできるシステムを構築することにより、従来画質確保のために調整値／設定値を記憶するために撮像装置に内蔵していたＥＥＰＲＯＭの搭載が不要にし、小型化／低コスト化を図ることができる。
【００９６】
また、必要に応じて、移動体通信装置に内蔵するビット単価が安いＮＡＮＤ型フラッシュメモリなどを使用することも可能となり、システムコストを下げると同時にサーバ装置へのアクセス頻度を下げることができる。
【００９７】
さらに、調整値／設定値のパラメータを移動体通信装置の通信機能を使ってサーバ装置よりダウンロードすることにより、調整値／設定値を最適化することが可能になり、より高画質な撮像装置を提供することが可能となる
【００９８】
またさらに、簡易型の調整／検査機能を有するサーバ装置を構築することにより、例えば移動体通信装置の販売店や移動体通信装置の修理受付センターなど、エンドユーザの身近な所で対応することが可能となり、修理／不具合対応のスピードアップが図れ、サービスの向上と、流通コストの低減を図ることができる。
【符号の説明】
【００９９】
１０  撮像装置、  １１  レンズ、  １２  カメラ信号処理部、  １３  画像信号処理部、  １４  レンズ制御部、  １５  ＳＤＲＡＭ、  １６  ＳＲＡＭ、  １７  通信部、  １８  ＧＰＳ、  ２０  カメラモジュール、  ２１  電調機、  ２２  ワークステーション、  ３０  カメラモジュール、  ３１  電調機、  ３２  ワークステーション、  ３３  サーバ装置、  ３４  無線基地局、  ３５  無線制御局、  ３６  Ｐａｃｋｅｔ交換機、  ４１  移動体通信装置、  ４２  サーバ装置Ａ、  ４３  サーバ装置Ｂ、  ４４  決済／課金サーバ装置、  ５１  移動体通信装置、  ５２  サーバ装置Ａ、  ５３  サーバ装置Ｂ、  ５４  決済／課金サーバ装置
【図１】
2012124750.tif 000003
【図２】
2012124750.tif 000004
【図３】
2012124750.tif 000005
【図４】
2012124750.tif 000006
【図５】
2012124750.tif 000007
【図６】
2012124750.tif 000008
【図７】
2012124750.tif 000009
【図８】
2012124750.tif 000010
【図９】
2012124750.tif 000011
【図１０Ａ】
2012124750.tif 000012
【図１０Ｂ】
2012124750.tif 000013